(57)【特許請求の範囲】
【請求項１】
開口を設けた隔壁を前方端部に備えるとともに後方端部は開放した外筒を有する容器本体と、
前記開口と同軸上に設けられる貫通孔を有し前記外筒の内周面に対して摺動可能且つ液密に当接するとともに前記隔壁との間に内容液を収容する液室を有するピストンと、
前記開口及び前記貫通孔を挿通するとともに該開口及び該貫通孔に対して摺動可能かつ液密に当接する管状壁と、該管状壁に設けられ該管状壁が後方から前方に向かって移動する際に前記ピストンに押し当たって該ピストンを前方へ移動させるフランジと、該フランジの前方において該管状壁を貫いて設けられ、通常時は該ピストンの後方に位置する一方、該フランジが該ピストンに押し当たる際は前記液室と連通して内容液を該管状壁の前方開口から吐出させる連通孔とを有するステムと、を備える液体吐出容器。
【請求項２】
通常時において、前記管状壁の前方端部は前記外筒の前方端部に対して同一或いは後方に位置し、該管状壁の後方端部は該外筒の後方端部に対して同一或いは前方に位置する請求項１に記載の液体吐出容器。
【請求項３】
前記容器本体は、前記外筒の後方端部に係合部を有するとともに該外筒の前方端部に他の容器本体における該係合部に適合する被係合部を有し、
前記ステムは、前記係合部と前記被係合部とを連結させた状態において、該ステムの前方端部が前記他の容器本体における他のステムの後方端部に当接する請求項１又は２に記載の液体吐出容器。
【請求項４】
請求項３に記載の液体吐出容器を保持する吐出用具本体と、該吐出用具本体に対して前後方向に移動可能であって、前記ステムの後方端部に当接して該ステムを前方へ移動させて前記内容液を吐出させるスライド部材とを備える吐出用具であって、
前記吐出用具本体は、該吐出用具本体の前方端部に前記被係合部を備える吐出用具。
【請求項５】
前記吐出用具本体は、前記開口と同軸上に設けられる本体開口を有する本体隔壁と、該本体隔壁を前方端部に設けた外側筒状壁とを有し、
前記スライド部材は、押込部材と、プランジャーと、操作部材とで構成され、
前記押込部材は、前記本体開口を挿通して前後方向に移動可能であって前記ステムの後方端部に当接する前方端部を備える内側筒状壁と、該内側筒状壁の後方に設けられ前記外側筒状壁の内周面に摺動可能且つ気密に当接可能な第一ピストンとを有し、
前記プランジャーは、前記内側筒状壁に挿通される軸部と、該軸部に連結し前記外側筒状壁の内周面に摺動可能且つ気密に当接するとともに前記第一ピストンとの間に空気室を有する第二ピストンと、該第二ピストンに設けられ該空気室と外界とを連通させる空気孔とを有し、
前記操作部材は、前記プランジャーに対して前後方向に移動可能に保持され、前方に向かって力を付与することで前記プランジャーに押し当たって該プランジャーとともに前方へ移動する一方、後方に向かって力を付与することで該プランジャーに先行して後方に移動する操作部と、該操作部に連結するとともに前方への移動時には前記空気孔を閉鎖して前記空気室の空気を前記管状壁の内側へ送給する一方、後方への移動時には該空気孔を開放して該空気室へ外気を取り込むシール部とを有する請求項４に記載の吐出用具。
【発明の詳細な説明】
【技術分野】
【０００１】
本発明は、収容した内容液を外界に吐出する液体吐出容器と、この液体吐出容器から簡単な操作で内容液を吐出させることが可能な吐出用具に関する。
【背景技術】
【０００２】
内容液を収容する容器にあっては、内容液の漏れを防止する他、容器内へ空気が流入するのを防止するため、内容液の吐出口を塞ぐ各種のカバーを設けている。例えば内容液として液状の化粧料や医薬品等を収容する場合には、吐出口に封止シールを貼着することがある（例えば特許文献１参照）。
【先行技術文献】
【特許文献】
【０００３】
【特許文献１】特開２００６−２６３７３号公報
【発明の概要】
【発明が解決しようとする課題】
【０００４】
このような封止シールを用いる事で、内容液と空気との接触を高いレベルで抑えることが可能であるが、内容液を吐出するにあたっては、これを剥がす作業が必要になる。特に、複数の内容液を混ぜ合わせて使用する必要がある場合は、容器の数の分だけ封止シールを剥がさなければならず煩わしさがあった。
【０００５】
本発明は、このような問題点を解決することを課題とするものであり、封止シールを用いることなく内容液と空気との接触を抑えることができる液体吐出容器を提供することを目的とする。また併せて、この液体吐出容器から簡単な操作で内容液を吐出させることができる吐出用具を提案する。
【課題を解決するための手段】
【０００６】
本発明は、開口を設けた隔壁を前方端部に備えるとともに後方端部は開放した外筒を有する容器本体と、
前記開口と同軸上に設けられる貫通孔を有し前記外筒の内周面に対して摺動可能且つ液密に当接するとともに前記隔壁との間に内容液を収容する液室を有するピストンと、
前記開口及び前記貫通孔を挿通するとともに該開口及び該貫通孔に対して摺動可能かつ液密に当接する管状壁と、該管状壁に設けられ該管状壁が後方から前方に向かって移動する際に前記ピストンに押し当たって該ピストンを前方へ移動させるフランジと、該フランジの前方において該管状壁を貫いて設けられ、通常時は該ピストンの後方に位置する一方、該フランジが該ピストンに押し当たる際は前記液室と連通して内容液を該管状壁の前方開口から吐出させる連通孔とを有するステムと、を備える液体吐出容器である。
【０００７】
通常時において、前記管状壁の前方端部は前記外筒の前方端部に対して同一或いは後方に位置し、該管状壁の後方端部は該外筒の後方端部に対して同一或いは前方に位置することが好ましい。
【０００８】
前記容器本体は、前記外筒の後方端部に係合部を有するとともに該外筒の前方端部に他の容器本体における該係合部に適合する被係合部を有し、
前記ステムは、前記係合部と前記被係合部とを連結させた状態において、該ステムの前方端部が前記他の容器本体における他のステムの後方端部に当接することが好ましい。
【０００９】
また本発明は、前記液体吐出容器を保持する吐出用具本体と、該吐出用具本体に対して前後方向に移動可能であって、前記ステムの後方端部に当接して該ステムを前方へ移動させて前記内容液を吐出させるスライド部材とを備える吐出用具であって、
前記吐出用具本体は、該吐出用具本体の前方端部に前記被係合部を備えることが好ましい。
【００１０】
前記吐出用具本体は、前記開口と同軸上に設けられる本体開口を有する本体隔壁と、該本体隔壁を前方端部に設けた外側筒状壁とを有し、
前記スライド部材は、押込部材と、プランジャーと、操作部材とで構成され、
前記押込部材は、前記本体開口を挿通して前後方向に移動可能であって前記ステムの後方端部に当接する前方端部を備える内側筒状壁と、該内側筒状壁の後方に設けられ前記外側筒状壁の内周面に摺動可能且つ気密に当接可能な第一ピストンとを有し、
前記プランジャーは、前記内側筒状壁に挿通される軸部と、該軸部に連結し前記外側筒状壁の内周面に摺動可能且つ気密に当接するとともに前記第一ピストンとの間に空気室を有する第二ピストンと、該第二ピストンに設けられ該空気室と外界とを連通させる空気孔とを有し、
前記操作部材は、前記プランジャーに対して前後方向に移動可能に保持され、前方に向かって力を付与することで前記プランジャーに押し当たって該プランジャーとともに前方へ移動する一方、後方に向かって力を付与することで該プランジャーに先行して後方に移動する操作部と、該操作部に連結するとともに前方への移動時には前記空気孔を閉鎖して前記空気室の空気を前記管状壁の内側へ送給する一方、後方への移動時には該空気孔を開放して該空気室へ外気を取り込むシール部とを有することが好ましい。
【発明の効果】
【００１１】
本発明の液体吐出容器は、容器本体とピストンとステムとを備え、容器本体の外筒とピストンとの間に内容液を収容する液室が設けられるとともに、ステムの管状壁は、外筒に設けた開口とピストンに設けた貫通孔に対して摺動可能かつ液密に当接するものであり、更に、ステムの管状壁にはこの管状壁を貫いて設けた連通孔を設けている。そしてこの連通孔は、通常時はピストンの後方に位置する一方、管状壁が前方に移動して管状壁のフランジがピストンに押し当たる際は液室と連通するため、この連通孔を通して液室の内容液を管状壁の前方開口から吐出させることができる。すなわち、通常時においては、液室が液密状態で維持されるため、空気との接触を抑えることができる。また、管状壁（ステム）を前方へ移動させるだけの簡単な操作で内容液を吐出させることができる。
【００１２】
通常時において、管状壁の前方端部が外筒の前方端部に対して同一或いは後方に位置し、管状壁の後方端部が外筒の後方端部に対して同一或いは前方に位置する場合は、管状壁（ステム）に不用意に触れることがなくなるので、意図せずに内容液を吐出させる不具合を防止することができる。
【００１３】
容器本体が、外筒の後方端部に係合部を有するとともに外筒の前方端部に他の容器本体における係合部に適合する被係合部を有し、またステムが、係合部と被係合部とを連結させた状態において、ステムの前方端部が他の容器本体における他のステムの後方端部に当接する場合は、複数の液体吐出容器を直列状に連結することができ、更に最後尾のステムを前方へ移動させれば、全ての液体吐出容器の内容液を先頭のステムの前方開口から吐出させることができる。すなわち、複数の液体吐出容器から内容液を吐出させる場合でも１回の操作で全ての内容液を吐出できるので煩わしさがない。
【００１４】
上述した液体吐出容器から内容液を吐出させるにあたっては、液体吐出容器を保持する吐出用具本体と、吐出用具本体に対して前後方向に移動可能であって、ステムの後方端部に当接してステムを前方へ移動させるスライド部材とを備える吐出用具を用いることで、吐出の操作がより簡単になる。また、吐出用具本体の前方端部に上述した被係合部を設ける場合は、液体吐出容器を複数連結させる部分と液体吐出容器を吐出用具に保持する部分を兼用することができるので、構成が簡素化できる。
【００１５】
なお、ピストンを前方に移動させることで、内容液の大部分は管状壁の前方開口から吐出されるものの、ピストンが容器本体の隔壁に当接するまでステムを移動させても、連通孔から前方開口に至る部分には内容液が残ることがある。この場合、吐出用具本体に、開口と同軸上に設けられる本体開口を設けた本体隔壁と、本体隔壁を前方端部に設けた外側筒状壁とを設け、スライド部材を、押込部材とプランジャーと操作部材とで構成する。そして押込部材に、本体開口を挿通して前後方向に移動可能であってステムの後方端部に気密に当接する前方端部を備える内側筒状壁と、内側筒状壁の後方に設けられ外側筒状壁の内周面に摺動可能且つ気密に当接可能な第一ピストンを設け、プランジャーに、内側筒状壁に挿通される軸部と、軸部に連結し外側筒状壁の内周面に摺動可能且つ気密に当接するとともに第一ピストンとの間に空気室を有する第二ピストンと、第二ピストンに設けられる空気室と外界とを連通させる空気孔とを設け、操作部材に、プランジャーに対して前後方向に移動可能に保持され、前方に向かって力を付与することでプランジャーに押し当たってプランジャーとともに前方へ移動する一方、後方に向かって力を付与することでプランジャーに先行して後方に移動する操作部と、操作部に連結するとともに前方への移動時には空気孔を閉鎖して空気室の気体を管状壁の内側へ送給する一方、後方への移動時には空気孔を開放して空気室へ外気を取り込むシール部とを設けることが好ましい。このような構成にすれば、ピストンが容器本体の隔壁に当接するまでステムを前方へ移動させた後、操作部材を一旦後方へ移動させれば、外界から空気室に空気が取り込まれる。そして、操作部材を再度前方へ移動させれば、空気室の空気が管状壁の内側へ送給されるため、ステムの管状壁に残っていた内容液を吐出させることができる。すなわち、液室に収容した内容液をほぼ全て吐出することができるため、内容液が無駄になることがないうえ、吐出量も正確になる。
【図面の簡単な説明】
【００１６】
【図１】本発明に従う液体吐出容器と吐出用具の一実施形態を示す、（ａ）は側面視での断面図であり、（ｂ）は（ａ）に示す矢印Ａに沿う矢視図である。
【図２】図１に示す状態から操作部材を前方へ向けて移動させ、連通孔が液室に連通した状態を示す図である。
【図３】図２に示す状態から更に操作部材を前方へ向けて移動させた状態を示す図である。
【図４】図３の状態から操作部材を後方へ向けて移動させた状態を示す図である。
【図５】図４の状態から操作部材を前方へ向けて移動させた状態を示す図である。
【図６】図１に示す液体吐出容器を３個連結させた状態を示す図である。
【図７】液体吐出容器を２個連結させた状態で、別の容器に内容液を吐出する状態を示す図である。
【図８】図１に示す液体吐出容器に内容液を充填する工程を説明する図である。
【発明を実施するための形態】
【００１７】
以下、図面を参照して、本発明に従う液体吐出容器と吐出用具の一実施形態について説明する。なお、本明細書、特許請求の範囲、要約書において「前方」とは、吐出用具に対して液体吐出容器が位置する向きであり（図１（ａ）では左側）、「後方」とはその逆の向きである（図１（ａ）では右側）。
【００１８】
図１において符号１は、本発明に従う液体吐出容器の一実施形態を示す。液体吐出容器１は、容器本体２と、ピストン３と、ステム４とで構成されている。
【００１９】
容器本体２は、円筒状になる外筒２ａを備えている。外筒２ａの前方端部には円板状の隔壁２ｂが設けられ、隔壁２ｂの中央部には開口２ｃが設けられている。開口２ｃの縁部には、前方へ向かって延在する周壁２ｄが設けられている。また外筒２ａの前方端部において外筒２ａの外周面には、雄ねじ部（被係合部）２ｅが設けられている。そして外筒２ａの後方端部は開放しており、その内周面には雌ねじ部（係合部）２ｆが設けられている。なお、雄ねじ部２ｅと雌ねじ部２ｆとは相互に適合するものである。
【００２０】
ピストン３は、概略円板状をなすものであって、外筒２ａの内周面に対して摺動可能且つ液密に当接する。またピストン３の中央部には、開口２ｃと同軸上に設けられる貫通孔３ａが設けられている。また貫通孔３ａの縁部には、後方に向かって延在する周壁３ｂが設けられている。
【００２１】
ステム４は、管状壁４ａを備えている。管状壁４ａは、開口２ｃ及び貫通孔３ａを挿通するものであって、開口２ｃに設けた周壁２ｄと貫通孔３ａに設けた周壁３ｂに対して摺動可能かつ液密に当接する。管状壁４ａの後方には、径方向外側へ延在するフランジ４ｂが設けられ、フランジ４ｂの外縁部には後方へ向かって延在するフランジ外縁壁４ｃが設けられている。なお、フランジ外縁壁４ｃの径方向内側において、管状壁４ａの後方端部４ｄは、管状壁４ａにおける開口２ｃ及び貫通孔３ａを挿通する部分の外径よりも小さい外径で形成されている。また管状壁４ａは、フランジ４ｂの前方において管状壁４ａを貫く連通孔４ｅを備えている。すなわちステム４は、符号４ｆで示す管状壁４ａの内部通路と連通孔４ｅとが連通するものである。なお、図１に示す内容液を吐出させる前の状態（通常時）において、連通孔４ｅはピストン３よりも後方に位置している。また内部通路４ｆは、その前方端において、内容液が吐出される際の吐出口として機能する前方開口４ｇを備えている。また前方開口４ｇの前方には、凹部４ｈが設けられている。なお凹部４ｈの内径は、上述した管状壁４ａの後方端部４ｄが収まるサイズで形成されている。
【００２２】
そして、隔壁２ｂとピストン３との間、及び外筒２ａと管状壁４ａとの間には、内容液を収容する液室Ｒ１が形成される。
【００２３】
次に、符号５で示す吐出用具の一実施形態について説明する。吐出用具５は、概略、液体吐出容器１を保持する吐出用具本体６と、吐出用具本体６に対して前後方向に移動可能であって、前方に向けて移動させることで液体吐出容器１から内容液を吐出させるスライド部材７とを備えている。本実施形態のスライド部材７は、押込部材８と、プランジャー９と、操作部材１０とで構成されている。
【００２４】
吐出用具本体６は、円筒状になる外側筒状壁６ａを備えている。外側筒状壁６ａの内周面は、前方部分の内径が小さくなっている。外側筒状壁６ａの前方端部には円板状の本体隔壁６ｂが設けられ、本体隔壁６ｂの中央部には、開口２ｃと同軸上に設けられる本体開口６ｃが設けられていて、本体開口６ｃの径方向外側には、本体開口６ｃよりも小さい孔（通気孔）６ｄが設けられている。また本体隔壁６ｂの前方には、環状となる壁部の外周面に雄ねじ部（被係合部）６ｅが設けられている。ここで雄ねじ部６ｅは、容器本体２に設けた雄ねじ部２ｅと同形状になるものである。なお、図示は省略するが、雄ねじ部６ｅ及び雄ねじ部２ｅには前後方向に延びる溝が設けられていて、雌ねじ部２ｆと組み合わさった際にはこの溝を通して空気を出入りさせることができる。なおこの溝は、雌ねじ部２ｆ側に設けてもよい。そして外側筒状壁６ａの後方端部には、図１（ｂ）に示すように楕円板状になる指かけ部６ｆが設けられている。
【００２５】
押込部材８は、本体開口６ｃに挿通される内側筒状壁８ａを有している。内側筒状壁８ａは、吐出用具本体６に対して前後方向に移動可能に設けられている。ここで、内側筒状壁８ａの前方端部８ｂは、その径方向内側にステム４の管状壁４ａを挿通させ、且つフランジ４ｂの後方面に対して当接する。そしてこの状態において、前方端部８ｂと管状壁４ａ、或いはフランジ４ｂと管状壁４ａとは気密に接触している。また、前方端部８ｂはフランジ外縁壁４ｃの径方向内側に位置している。一方、内側筒状壁８ａの後方端部には、径方向外側に延在するとともにその外縁部が外側筒状壁６ａの内周面に摺動可能な第一ピストン８ｃが設けられている。前述のように、外側筒状壁６ａの内周面は前方部分の内径が小さくなっていて、第一ピストン８ｃは、少なくともこの前方部分に対して気密に当接する。なお、本実施形態では外側筒状壁６ａの内周面に対して第一ピストン８ｃが気密に当接する部位を部分的に設けることで、第一ピストン８ｃが後方から前方へ向かう間の摺動抵抗を減らすようにしているが、摺動抵抗の低減を重視しなくてもよい場合は、外側筒状壁６ａの内周面の全域に亘って第一ピストン８ｃが気密に当接するようにしてもよい。
【００２６】
プランジャー９は、内側筒状壁８ａに挿通される軸部９ａを備えている。また軸部９ａの後方には、径方向外側に延在するとともにその外縁部が外側筒状壁６ａの内周面に摺動可能且つ気密に当接する第二ピストン９ｂを備えている。ここで、軸部９ａと第二ピストン９ｂとは、周方向に間隔をあけた連結片（不図示）で一体に連結していて、連結片の相互間には孔（空気孔）９ｃが設けられている。また第二ピストン９ｂの外縁部には、後方に向かって延在する筒状の内側連結筒９ｄが設けられていて、内側連結筒９ｄの外周面には、前後方向に向かって延在する縦溝９ｅと、縦溝９ｅの後方に位置する凹所９ｆが設けられている。
【００２７】
なお、詳細については後述するが、図１（ａ）に示すように、内容液を吐出させる前においては第一ピストン８ｃと第二ピストン９ｂとは接触しているが、図４に示すように、両者が前後方向に離間した際には、第一ピストン８ｃと第二ピストン９ｂとの間、及び外側筒状壁６ａと軸部９ａとの間には、空気を収容する空気室Ｒ２が形成される。
【００２８】
操作部材１０は、内側連結筒９ｄを取り囲む外側連結筒１０ａを備えている。外側連結筒１０ａの内周面には、縦溝９ｅに適合する縦リブ１０ｂと、凹所９ｆに嵌まり込む爪部１０ｃとが設けられている。爪部１０ｃの前後方向長さは、凹所９ｆの前後方向長さよりも短くなっていて、操作部材１０はプランジャー９に対して前後方向に僅かに移動可能となっている。また外側連結筒１０ａの後方には、図１（ｂ）に示すように円板壁１０ｄが設けられている。円板壁１０ｄには、プランジャー９の空気孔９ｃに連通する空気導入孔１０ｅが設けられている。また円板壁１０ｄの中央部には、大径の円筒状部分とこの円筒状部分の前方に設けられる小径の円柱状部分とを連結した形態をなし、プランジャー９に対して操作部材１０が前方に移動させた際に空気孔９ｃを閉鎖するシール部１０ｆが設けられている。なお、シール部１０ｆの円柱状部分は、軸部９ａの内側に設けた凹部に入り込んでいて、プランジャー９に対して操作部材１０が前後に移動する際には、この部分がガイドとして機能する。
【００２９】
次に、上述した吐出用具５を用いて液体吐出容器１から内容液を注出する手順を説明する。まず、図１に示すように、吐出用具本体６の雄ねじ部６ｅに、容器本体２の雌ねじ部２ｆを嵌め合わせる。
【００３０】
そして、指かけ部６ｆを指で支えた状態で、円板壁１０ｄを後方から前方に向かって押圧する。これにより、押込部材８、プランジャー９、及び操作部材１０が吐出用具本体６に対して前方に移動し、これに伴って押込部材８の前方端部８ｂがステム４のフランジ４ｂを前方へ向けて押圧して、ステム４を前方へ移動させる。
【００３１】
前方へ移動したステム４は、図２に示すようにフランジ４ｂがピストン３に当接する時点において、連通孔４ｅが液室Ｒ１と連通する。そして引き続き円板壁１０ｄを押圧するとピストン３が液室Ｒ１を加圧して、液室Ｒ１の内容液が連通孔４ｅ、内部通路４ｆを通して前方開口４ｇから吐出される。なお、ピストン３が前進するに伴って、ピストン３の後方に形成される空間には、通気孔６ｄ、及び雄ねじ部６ｅに設けた溝を通して空気が導入されるため、ピストン３の動きが阻害されることはない。
【００３２】
ここで、図３に示すように操作部材１０等を最後まで（隔壁２ｂとピストン３が当接する状態まで）押圧しても、液室Ｒ１に収容していた内容液の一部は、内部通路４ｆ内に残ることになる。なお、この状態において連通孔４ｅは、開口２ｃの縁部に設けた周壁２ｄによって閉鎖されている。
【００３３】
内部通路４ｆ内に残った内容液を吐出させるためには、図４に示すように操作部材１０を後方へ移動させる。ここで操作部材１０は、凹所９ｆと爪部１０ｃとの関係によってプランジャー９に対して前後方向に僅かに移動可能であるため、プランジャー９に対して先行して後方へ移動することになる。このため、シール部１０ｆが空気孔９ｃに対して後方へ移動し、空気孔９ｃが開放された状態になる。そしてこのまま操作部材１０を後方へ移動させると、図４に示すようにプランジャー９も併せて後方へ移動し、第一ピストン８ｃと第二ピストン９ｂとの間に形成される空間（空気室Ｒ２）には、空気導入孔１０ｅ、空気孔９ｃを通して外界から空気が取り込まれる。
【００３４】
その後、図５に示すように操作部材１０を前方へ移動させると、シール部１０ｆが空気孔９ｃを閉鎖しつつプランジャー９が前方に移動し、第二ピストン９ｂが空気室Ｒ２を加圧する。そして加圧された空気は、図５に矢印で示すように内側筒状壁８ａと軸部９ａとの隙間を通って内部通路４ｆへ送給されるため、内部通路４ｆに残っていた内容液を前方開口４ｇから吐出させることができる。
【００３５】
ところで本実施形態の液体吐出容器１は、容器本体２における雄ねじ部２ｅと雌ねじ部２ｆとは相互に適合するものであるため、図６に示すように、一の容器本体２における雄ねじ部２ｅに、他の容器本体２における雌ねじ部２ｆを連結させることによって複数個（図６では３個）を直列状に連結することができる。またこの状態において、一のステム４における凹部４ｈは、他のステム４における後方端部４ｄに嵌まり込むため、一のステム４を前方に向けて移動させれば、他のステム４も併せて移動する。そして、一のステム４における内部通路４ｆと他のステム４における内部通路４ｆとは連通しているため、一の液体吐出容器１に収容している内容液は、一の内部通路４ｆを通った後、他の内部通路４ｆに流れ込み、最終的に一番前方に位置するステム４から吐出される。このように、複数個の液体吐出容器１を連結させる場合は、最後尾のステム４を前方へ移動させることによって、全ての液体吐出容器１の内容液を一番前方のステム４から吐出させることができる。なお、ピストン３が前進するに伴ってピストン３の後方に形成される空間には、雄ねじ部２ｅに設けた溝を通して空気が導入されるため、ピストン３の動きが阻害されることはない。
【００３６】
従って、複数の液体吐出容器１から内容液を吐出させる必要がある場合でも、図７に示すようにこれらを直列状に連結して吐出用具５に取り付ければ、１つの液体吐出容器１から内容液を吐出させる場合と同じようにして、一度に全ての内容液を吐出させることができる。なお図７は、撹拌球２０とともに予め別の内容液を収容した容器２１に対して、キャップ２２を取り外した状態で、２個の液体吐出容器１を連結し、吐出用具５によって内容液を吐出させる状況を示している。
【００３７】
なお、液体吐出容器１に内容液を充填するには、例えば図８に示す充填機Ｍで行えばよい。なお図８において、符号Ｍ１は容器本体２を保持する容器本体保持具、符号Ｍ２はピストン３を保持するピストン保持具、符号Ｍ３は充填ノズル、符号Ｍ４は容器本体用受け台、符号Ｍ５はステム用受け台である。
【００３８】
まず図８（ａ）に示すように、容器本体保持具Ｍ１で容器本体２を保持する。この時、ピストン保持具Ｍ２はピストン３の後方端部に当接し、充填ノズルＭ３はステム４の後方から挿入され、ステム用受け台Ｍ５はステム４の前方端部に当接する。
【００３９】
次に、図８（ｂ）に示すように、容器本体保持具Ｍ１を前進させて容器本体２を容器本体用受け台Ｍ４に当接させる。また容器本体保持具Ｍ１を前進させていくにつれて、隔壁２ｂとピストン３との間には、連通孔４ｅが連通する液室Ｒ１が形成されるため、充填ノズルＭ３から内容液を送給して液室Ｒ１に内容液を充填する。
【００４０】
そして図８（ｃ）に示すように、ステム用受け台Ｍ５を充填ノズルＭ３に近づく向きに移動させる。これにより、連通孔４ｅがピストン３よりも後方へ位置するため、液室Ｒ１を液密状態で維持することができる。なお、充填機Ｍから液体吐出容器１を取り外した後は、図８（ｄ）に示すように、エアブローや洗浄等によってステム４に付着した内容液を除去することが好ましい。
【００４１】
なお液体吐出容器１は、図８（ｄ）に示すように内容液を吐出する前（通常時）において、管状壁４ａの前方端部（図８（ｄ）において下側の端部）は外筒２ａの前方端部に対して同一或いは後方に位置し、管状壁４ａの後方端部（図８（ｄ）において上側の端部）は外筒２ａの後方端部に対して同一或いは前方に位置することが好ましい。すなわち、この状態では管状壁４ａが外筒２ａの内側に収まることになるため、管状壁４ａに不用意に触れることがなくなって、意図しない内容液の吐出を防止することができる。
【００４２】
本発明の液体吐出容器及び吐出用具は、これまでに述べた実施形態に限定されるものではなく、種々の変更を含むものである。例えば上述した実施形態では、液体吐出容器１同士や液体吐出容器１と吐出用具５とを連結する係合部及び被係合部として、雌ねじ部２ｆと雄ねじ部２ｅ、６ｅとを示したが、例えば、可撓性のある爪部とこの爪部が係合する凹部との組み合わせや、突起とこの突起を嵌め込む周方向溝との組み合わせ（バヨネット）など、種々のものを採用することができる。
【符号の説明】
【００４３】
１      ：液体吐出容器
２      ：容器本体
２ａ    ：外筒
２ｂ    ：隔壁
２ｃ    ：開口
２ｄ    ：周壁
２ｅ    ：雄ねじ部（被係合部）
２ｆ    ：雌ねじ部（係合部）
３      ：ピストン
３ａ    ：貫通孔
３ｂ    ：周壁
４      ：ステム
４ａ    ：管状壁
４ｂ    ：フランジ
４ｃ    ：フランジ外縁壁
４ｄ    ：管状壁の後方端部
４ｅ    ：連通孔
４ｆ    ：内部通路
４ｇ    ：前方開口
４ｈ    ：凹部
５      ：吐出用具
６      ：吐出用具本体
６ａ    ：外側筒状壁
６ｂ    ：本体隔壁
６ｃ    ：本体開口
６ｄ    ：通気孔
６ｅ    ：雄ねじ部（被係合部）
６ｆ    ：指かけ部
７      ：スライド部材
８      ：押込部材
８ａ    ：内側筒状壁
８ｂ    ：内側筒状壁の前方端部
８ｃ    ：第一ピストン
９      ：プランジャー
９ａ    ：軸部
９ｂ    ：第二ピストン
９ｃ    ：空気孔
９ｄ    ：内側連結筒
９ｅ    ：縦溝
９ｆ    ：凹所
１０    ：操作部材
１０ａ  ：外側連結筒
１０ｂ  ：縦リブ
１０ｃ  ：爪部
１０ｄ  ：円板壁
１０ｅ  ：空気導入孔
１０ｆ  ：シール部
Ｒ１    ：液室
Ｒ２    ：空気室
【図１】
0006529915.tif 000002
【図２】
0006529915.tif 000003
【図３】
0006529915.tif 000004
【図４】
0006529915.tif 000005
【図５】
0006529915.tif 000006
【図６】
0006529915.tif 000007
【図７】
0006529915.tif 000008
【図８】
0006529915.tif 000009